【手続補正書】
【提出日】平成23年12月6日(2011.12.6)
【手続補正１】
【補正対象書類名】特許請求の範囲
【補正対象項目名】全文
【補正方法】変更
【補正の内容】
【特許請求の範囲】
【請求項１】
メッセージを伝送し受信することができる複数のノードを有する無線メッシュネットワークを動作させるための方法であって、
それぞれのノードによる通信のための最小時間要求に基づいて前記無線メッシュネットワークで使用されることになる最も短いタイムスロットの長さを決定し、それぞれのタイムスロットはそれぞれが時間分ｔiを有する１つ以上のタイムスロット増分を含むものであり、
フレームを有する通信サイクルに前記ノードを同期させ、前記フレームは前記無線メッシュネットワークのリフレッシュ速度に基づく時間分Ｔf＝Ｎｔiを有し、ここで、Ｎは前記フレームにおけるタイムスロット増分の合計数であり、Ｎは正の整数であり、そしてそれぞれのタイムスロット増分ｔiは同じ長さであり、前記フレームはそれぞれが長さＭｔiを有するタイムスロットを形成し、前記ノードに割り当てられているものであり、それぞれのタイムスロットの個々に対して、ＭはＮより小さい正の整数であり、Ｍの値は最初は前記タイムスロットのすべてに対して等しいものであり、
複数の新しいノードを、その新しいノードが前記無線メッシュネットワークに加入したときにネットワークマネージャにより登録し、
それぞれの新しいノードによる通信のための最小時間要求に基づいて、それの無線をオンにし、関連するチャネルが空であることを確認し、メッセージを送り、そして確認通知に注意を向けるために、前記新しいノードが前記無線メッシュネットワーク内で受け入れられる最も短いタイムスロットの長さを決定し、ノード対の間の通信のためにタイムスロットを各々のフレーム内に割り当て、割り当てられたタイムスロットはそれぞれのノード対のための最も短いタイムスロットの長さの関数として変化し、両方が他のノードより低い最小時間要求を有する前記新しいノードの少なくとも１つの対が対応してより短いタイムスロットに割り当てられるようにするステップを含み、前記ネットワークマネージャは前記タイムスロットを割り当てることを特徴とする方法。
【請求項２】
前記フレームはｔiの持続時間の少なくとも１つのタイムスロットを含むことを特徴とする請求項１に記載の方法。
【請求項３】
前記フレームは２ｔiの持続時間の少なくとも１つのタイムスロットを含むことを特徴とする請求項１に記載の方法。
【請求項４】
前記フレームは４ｔiの持続時間の少なくとも１つのタイムスロットを含むことを特徴とする請求項１に記載の方法。
【請求項５】
前記タイムスロットを割り当てるステップは、各々のノードに対して格納された構成データに基づくことを特徴とする請求項１に記載の方法。
【請求項６】
前記格納された構成データは、タイムスロット中に通信するためにそれぞれのノードにより必要とされる最小時間期間を含むことを特徴とする請求項５に記載の方法。
【請求項７】
繰り返される通信フレーム内で割り当てられたタイムスロット中にメッセージを伝送し受信することができる複数のノードを含む無線メッシュネットワークであって、
前記複数のノードは第１の最小通信時間能力を有する１つ以上のノードの第１のセットと、前記第１の最小通信時間能力より速い第２の最小通信時間能力を有する１つ以上のノードの第２のセットを含み、前記の第１及び第２の最小通信時間能力は、それぞれの関連するノードがそれのラジオをオンにし、関連するチャネルが空であることを確認し、メッセージを送り、確認通知に注意を向けるための時間であり、
前記フレームは等しい時間分ｔiのＮ個のタイムスロット増分を含み、前記時間分ｔiは前記の第１及び第２の最小通信時間能力の両方の関数として選択され、前記フレームは前記無線メッシュネットワークのリフレッシュ速度に基づいた合計の時間を有するものであり、
各々のタイムスロットは、時間分Ｍｔiを有し、前記時間分Ｍｔiは前記時間分ｔiの正の整数の倍数であり、各々のタイムスロットの前記時間分は通信のためにそのタイムスロットに割り当てられた各々のノードにより必要とされる最小時間に基づいて決定され、前記最小通信時間はそれぞれのノードの前記の第１及び第２の最小通信時間能力によって決定され、
前記第１のセットのみの選択されたノードに前記タイムスロットを割り当て、それぞれのタイムスロットの前記時間分Ｍｔiを決定し、前記の第１及び第２のセットの両方の選択されたノードを前記タイムスロットに再び割当て、それぞれのタイムスロットの前記時間分Ｍｔiを再び決定するネットワークマネージャを有する、
ことを特徴とする無線メッシュネットワーク。
【請求項８】
前記フレームはｔiに等しい前記時間分Ｍｔiを有する少なくとも１つのタイムスロットを含むことを特徴とする請求項７に記載の無線メッシュネットワーク。
【請求項９】
前記フレームは２ｔiに等しい前記時間分Ｍｔiを有する少なくとも１つのタイムスロットを含むことを特徴とする請求項７に記載の無線メッシュネットワーク。
【請求項１０】
前記フレームは４ｔiに等しい前記時間分Ｍｔiを有する少なくとも１つのタイムスロットを含むことを特徴とする請求項７に記載の無線メッシュネットワーク。
【請求項１１】
前記フレームは異なる時間分Ｍｔiのタイムスロットを含むことを特徴とする請求項７に記載の無線メッシュネットワーク。
【請求項１２】
前記ネットワークマネージャは、前記タイムスロットの前記時間分Ｍｔiを決定するために、前記ノードに対する格納された構成データを用いることを特徴とする請求項１に記載の無線メッシュネットワーク。
【請求項１３】
無線メッシュネットワークであって、
メッセージを伝送し受信することができる複数のノードであって、前記複数のノードは第１の最小通信時間能力を有する１つ以上のノードの第１のセットと、前記第１の最小通信時間能力より速い第２の最小通信時間能力を有する１つ以上のノードの第２のセットを含み、前記の第１及び第２の最小通信時間能力は、それぞれの関連するノードがそれのラジオをオンにして、送ったメッセージの確認通知に注意を向ける間の時間である複数のノードと、
前記無線メッシュネットワークのリフレッシュ速度に基づいた合計のフレーム時間を有する繰り返されるフレームの通信サイクルに基づいて前記ノードを同期させるためのネットワークマネージャであって、それぞれのフレームは選択されたノードに割り当てられたタイムスロットを含み、それぞれのフレームは等しい時間分ｔiのＮ個のタイムスロット増分を含み、Ｎは正の整数であり、各々のタイムスロットは、個々に決定される時間分Ｍｔiを有し、前記時間分Ｍｔiは前記時間分ｔiの正の整数の倍数であり、前記ネットワークマネージャは前記第１のセットのみの選択されたノードの前記第１の最小通信時間能力に基づいて異なる時間分のタイムスロットを割り当て、前記ネットワークマネージャは、前記の第１及び第２のセットの両方の選択されたノードの前記の第１及び第２の最小通信時間能力の両方に基づいて異なる時間分を再び割当て、前記ネットワークマネージャは、
そのタイムスロットの間の通信のために前記選択されたノードにより必要とされる最小時間に基づいてそれぞれのタイムスロットの前記時間分を決定する
ことを特徴とする無線メッシュネットワーク。
【請求項１４】
前記ネットワークマネージャは、そのタイムスロット中に通信するために、前記選択されたノードにより必要とされる前記最小時間に基づいて、各々のタイムスロットの時間分を判断することを特徴とする請求項１３に記載の無線メッシュネットワーク。
【請求項１５】
前記フレームは時間分２ｔiに等しい前記時間分Ｍｔiを有する少なくとも１つのタイムスロットを含むことを特徴とする請求項１３に記載の無線メッシュネットワーク。
【請求項１６】
前記フレームは時間分４ｔiに等しい前記時間分Ｍｔiを有する少なくとも１つのタイムスロットを含むことを特徴とする請求項１３に記載の無線メッシュネットワーク。
【手続補正２】
【補正対象書類名】明細書
【補正対象項目名】０００９
【補正方法】変更
【補正の内容】
【０００９】
本発明の実施形態においては、通信のために一対のノードに割り当てられた特定のタイムスロットは、ノードの各々がラジオをオンにしなければならない、チャネルが空であることを保証する、メッセージを送信する、及び確認通知要求に注意を向ける最小時間量に基づいて、ワークマネージャ１２により選択される。異なるノードは、特に、ノードの幾つかがより新しくより速いコンポーネント及び回路を用いるときに異なる最小時間要求を有することができる。
ネットワークマネージャ１２は、ノードの各々に対して、ノードがタイムスロット中に通信するのに必要な最小時間期間を示す情報を含む構成データを格納する。特定のタイムスロット中に通信するノードの各々に対する格納された情報に基づいて、ネットワークマネージャ１２は、その特定の対のノードに対して、タイムスロットの持続時間はどうであるべきか判断する。ネットワーク１０が、異なるタイムスロットの持続時間を必要とする異なる通信速度を有するノードを含む場合には、ＴＤＭＡサイクルの各々のフレームは、幾つかの異なる持続時間のタイムスロットを含むことができる。
ネットワーク１０内に異なる持続時間のタイムスロットを収容する能力は、ネットワーク１０により用いられる、最短であると予測されるタイムスロットと同じくらい小さいか又はこれより小さい、一連の等しい長さのスロット増分にフレームを分割することにより実現することができる。図２は、等しい長さの一連のスロット増分２２に分割されたフレーム２０を示す。図２に示す例においては、フレーム２０は、ネットワーク１０の再生（リフレッシュ）速度を定義するフレーム長さすなわち時間Ｔfを有する。フレーム２０にはＮ個の合計スロット増分２２がある。したがって、フレーム時間Ｔf＝Ｎｔiであり、タイムスロットの時間分はＭｔiであり、ここでＭは正の整数であり、Ｎより少ない。